(57)【特許請求の範囲】
【請求項１】
電動工具とその電動工具にスライド装着されるアタッチメントとの何れか一方にオス端子を突設し、他方に、前記オス端子が挿入可能な差込口と、その差込口の内側に位置して前記オス端子と電気的接続可能なメス端子とをそれぞれ設けて、前記電動工具への前記アタッチメントのスライド装着に伴う前記オス端子とメス端子との電気的接続により、前記電動工具から前記アタッチメントへ電源供給を行うアタッチメント付き電動工具であって、
前記メス端子が設けられる前記他方に、前記メス端子を備えたコネクタを、前記メス端子が前記差込口の内側に位置する接続位置と、前記メス端子が前記差込口の内側から退避する非接続位置との間で移動可能に設けると共に、前記コネクタを前記非接続位置へ付勢する付勢手段を設け、
前記コネクタに、前記非接続位置で前記差込口の内側に位置して前記差込口を閉塞し、前記接続位置で前記差込口の内側から退避するシャッタ部を設けて、
前記オス端子が設けられる前記一方に、前記アタッチメントのスライド装着に伴って前記コネクタに当接し、前記コネクタを前記付勢手段の付勢に抗して前記接続位置へ移動させる押圧部を設けて、
前記メス端子が設けられる前記他方の外面に、前記スライド方向と平行な案内溝を設けて当該案内溝内に前記コネクタの一部を突出させ、前記押圧部を、前記オス端子が設けられる前記一方の外面に設けられ、前記アタッチメントの装着に伴って前記案内溝内をスライドして前記コネクタの当該一部に当接する押圧レールとしたことを特徴とするアタッチメント付き電動工具。
【請求項２】
前記コネクタを、前記接続位置と非接続位置との間で回転可能に設けたことを特徴とする請求項１に記載のアタッチメント付き電動工具。
【請求項３】
電動工具とその電動工具にスライド装着されるアタッチメントとの何れか一方にオス端子を突設し、他方に、前記オス端子が挿入可能な差込口と、その差込口の内側に位置して前記オス端子と電気的接続可能なメス端子とをそれぞれ設けて、前記電動工具への前記アタッチメントのスライド装着に伴う前記オス端子とメス端子との電気的接続により、前記電動工具から前記アタッチメントへ電源供給を行うアタッチメント付き電動工具であって、
前記メス端子が設けられる前記他方に、前記差込口の開放位置と閉塞位置との間でスライド可能なシャッタと、そのシャッタに一端が係合して回転可能な回転部材と、その回転部材を前記シャッタが前記閉塞位置へスライドする回転方向へ付勢する付勢手段とを設けて、
前記オス端子が設けられる前記一方に、前記アタッチメントのスライド装着に伴って前記回転部材の他端に当接し、前記回転部材を前記付勢手段の付勢に抗して前記シャッタが前記開放位置へスライドする回転方向へ回転させる押圧部を設けて、
前記メス端子が設けられる前記他方の外面に、前記スライド装着方向と平行な案内溝を設けて当該案内溝内に前記回転部材の他端を突出させ、前記押圧部を、前記オス端子が設けられる前記一方の外面に設けられ、前記アタッチメントの装着に伴って前記案内溝内をスライドして前記回転部材の他端に当接する押圧レールとしたことを特徴とするアタッチメント付き電動工具。
【請求項４】
前記差込口及びメス端子が前記電動工具に、前記オス端子が前記アタッチメントにそれぞれ設けられることを特徴とする請求項１乃至３の何れかに記載のアタッチメント付き電動工具。
【請求項５】
前記オス端子に沿って保護リブを設けたことを特徴とする請求項１乃至４の何れかに記載のアタッチメント付き電動工具。
【請求項６】
前記アタッチメントの装着方向とその交差方向との少なくとも何れか一方向で前記電動工具及び／又は前記アタッチメントの外面に、前記電動工具とアタッチメントとの装着状態で相手側を押圧する弾性部材を設けたことを特徴とする請求項１乃至５の何れかに記載のアタッチメント付き電動工具。
【発明の詳細な説明】
【技術分野】
【０００１】
本発明は、集塵装置等のアタッチメントを装着した例えば電動ドリルやハンマードリル等の電動工具に関する。
【背景技術】
【０００２】
電動ドリルやハンマードリル等の電動工具には、例えば穿孔作業等の際に被加工材から発生する粉塵を集塵して回収する集塵装置や、先端工具を照射するライトユニット等のアタッチメントが装着される。このアタッチメント付き電動工具として、例えば特許文献１には、アタッチメントである集塵装置に、収容した集塵用モータと電気的接続されるプラグ（オス端子）を突設させる一方、電動工具側に、電源側に電気的接続され、集塵装置の装着状態でプラグが差し込み接続されるソケット（メス端子）を設けて、電動工具からアタッチメントへの電源の供給を可能とした例が開示されている。
特にここでは、集塵装置を装着しない状態でのソケットの保護のために、電動工具のハウジング内に、ソケットへの差込口に対応する透孔を有してソケットの前方を横切る方向へスライド可能で、コイルバネによって透孔が差込口とずれる閉塞位置に付勢されるソケットカバーを設けている。このソケットカバーは、集塵装置の装着の際に、集塵装置のプラグに隣接して設けた突起のテーパ面が当接することで、コイルバネの付勢に抗して後退し、透孔を差込口と一致させてプラグの挿入を許容するようになっている。
【先行技術文献】
【特許文献】
【０００３】
【特許文献１】米国特許第７０１７６８０号明細書
【発明の概要】
【発明が解決しようとする課題】
【０００４】
しかし、上記特許文献１のアタッチメント付き電動工具においては、ソケットカバーに突起を直接当接させてスライドさせる構造であるため、ソケットカバーの後退ストロークを大きく確保することができず、ソケットカバーに設けた透孔を差込口からずらす構成にとどまる。従って、組み付け誤差等によってソケットカバーの後退時に透孔と差込口とがうまく一致しなくなるおそれが生じ、プラグと接触する等して差し込みの確実性が低下してしまう。このため、ソケットカバーの後退ストロークを大きくして差込口からソケットカバー全体を退避させることが望ましいが、当該ストロークを確保するために突起のテーパ面を大きくしたり等すると、差込口の開閉機構に広いスペースが必要となり、電動工具やアタッチメントのコンパクト化の障害になる。
【０００５】
そこで、本発明は、オス端子の差し込み時には確実にメス端子側の差込口を開放させて差し込みの確実性を確保できると共に、差込口の開閉機構も省スペースで形成できるアタッチメント付き電動工具を提供することを目的としたものである。
【課題を解決するための手段】
【０００６】
上記目的を達成するために、請求項１に記載の発明は、電動工具とその電動工具にスライド装着されるアタッチメントとの何れか一方にオス端子を突設し、他方に、オス端子が挿入可能な差込口と、その差込口の内側に位置してオス端子と電気的接続可能なメス端子とをそれぞれ設けて、電動工具へのアタッチメントのスライド装着に伴うオス端子とメス端子との電気的接続により、電動工具からアタッチメントへ電源供給を行うアタッチメント付き電動工具であって、メス端子が設けられる他方に、メス端子を備えたコネクタを、メス端子が差込口の内側に位置する接続位置と、メス端子が差込口の内側から退避する非接続位置との間で移動可能に設けると共に、コネクタを非接続位置へ付勢する付勢手段を設け、コネクタに、非接続位置で差込口の内側に位置して差込口を閉塞し、接続位置で差込口の内側から退避するシャッタ部を設けて、オス端子が設けられる一方に、アタッチメントのスライド装着に伴ってコネクタに当接し、コネクタを付勢手段の付勢に抗して接続位置へ移動させる押圧部を設けて、メス端子が設けられる他方の外面に、スライド方向と平行な案内溝を設けて当該案内溝内にコネクタの一部を突出させ、押圧部を、オス端子が設けられる一方の外面に設けられ、アタッチメントの装着に伴って案内溝内をスライドしてコネクタの当該一部に当接する押圧レールとしたことを特徴とするものである。
請求項２に記載の発明は、請求項１の構成において、コネクタを、接続位置と非接続位置との間で回転可能に設けたことを特徴とするものである。
【０００７】
上記目的を達成するために、請求項３に記載の発明は、メス端子が設けられる他方に、差込口の開放位置と閉塞位置との間でスライド可能なシャッタと、そのシャッタに一端が係合して回転可能な回転部材と、その回転部材をシャッタが閉塞位置へスライドする回転方向へ付勢する付勢手段とを設けて、オス端子が設けられる一方に、アタッチメントのスライド装着に伴って回転部材の他端に当接し、回転部材を付勢手段の付勢に抗してシャッタが開放位置へスライドする回転方向へ回転させる押圧部を設けて、メス端子が設けられる他方の外面に、スライド装着方向と平行な案内溝を設けて当該案内溝内に回転部材の他端を突出させ、押圧部を、オス端子が設けられる一方の外面に設けられ、アタッチメントの装着に伴って案内溝内をスライドして回転部材の他端に当接する押圧レールとしたことを特徴とするものである。
請求項４に記載の発明は、請求項１乃至３の何れかの構成において、差込口及びメス端子が電動工具に、オス端子がアタッチメントにそれぞれ設けられることを特徴とするものである。
請求項５に記載の発明は、請求項１乃至４の何れかの構成において、オス端子に沿って保護リブを設けたことを特徴とするものである。
請求項６に記載の発明は、請求項１乃至５の何れかの構成において、アタッチメントの装着方向とその交差方向との少なくとも何れか一方向で電動工具及び／又はアタッチメントの外面に、電動工具とアタッチメントとの装着状態で相手側を押圧する弾性部材を設けたことを特徴とするものである。
【発明の効果】
【０００８】
請求項１及び３に記載の発明によれば、オス端子の差し込み時には確実にメス端子側の差込口を開放させることができ、差し込み接続の確実性を確保できる。また、差込口の開閉機構が省スペースで形成でき、コンパクト化の障害にならない。
特に、アタッチメントのスライド装着に合わせて無理なくコネクタや回転部材を移動させることができる。また、案内溝と押圧レールとの嵌合によって電動工具とアタッチメントとのさらなる一体化も図られる。
請求項２に記載の発明によれば、請求項１の効果に加えて、接続位置と非接続位置との間のコネクタの移動をより省スペースで行うことができる。
請求項４に記載の発明によれば、上記効果に加えて、電動工具側にメス端子を設けるので、電動工具に端子による突出部分が生じることがなく、電動工具を単独で使用する際の邪魔にならない。
請求項５に記載の発明によれば、上記効果に加えて、保護リブの採用によってオス端子の損傷防止効果が得られる。
請求項６に記載の発明によれば、上記効果に加えて、弾性部材の採用により、電動工具とアタッチメントとの間のがたつきを抑えてアタッチメントを装着した際の一体感を高めることができる。
【図面の簡単な説明】
【０００９】
【図１】形態１の集塵装置を装着したハンマードリルの縦断面図である。
【図２】形態１のハンマードリルの縦断面図である。
【図３】図２のＡ−Ａ線拡大断面図である。
【図４】形態１のハンマードリルの正面図である。
【図５】形態１の集塵装置の縦断面図である。
【図６】形態２の集塵装置を装着したハンマードリルの縦断面図である。
【図７】形態２のハンマードリルの縦断面図である。
【図８】形態２の集塵装置の縦断面図である。
【発明を実施するための形態】
【００１０】
以下、本発明の実施の形態を図面に基づいて説明する。
［形態１］
図１は、アタッチメント付き電動工具の一例として、電動工具であるハンマードリルに集塵装置を装着した例を示し、図２はハンマードリルを単体で示している。まずハンマードリル１は、左右一対の半割ハウジングを組み付けてなるハウジング２の前側（図１，２の右側を前方とする。）中央にモータ３を、出力軸４を上向きにして収容しており、その上方でベベルギヤ５，５を介してトルク伝達される中間軸６に、前方から第１ギヤ７、クラッチ８、ボススリーブ９を備えている。中間軸６の上方には、先端にビット１０を挿着可能なツールホルダ１１が中間軸６と平行に軸支されて、その後方に遊挿されたピストンシリンダ１２の後端に、ボススリーブ９にスワッシュベアリングを介して外装されたアーム１３が連結されている。ピストンシリンダ１２の内部には、空気室１４を介してストライカ１５が前後移動可能に外装されて、その前方に設けたインパクトボルト１６を打撃可能としている。第１ギヤ７は、ツールホルダ１１に装着された第２ギヤ１７と噛合している。
【００１１】
一方、ハウジング２の後側上部には、スイッチ１９及びスイッチレバー２０を備えたハンドル１８が形成されており、ハンドル１８の下方には、電源となるバッテリーパック２１が装着されている。また、ハウジング２の前側下部は、前面が前下がり傾斜する傾斜面部２３となってバッテリーパック２１の前方に突出し、集塵装置４０が装着される装着部２２となっている。この装着部２２の内部に、モータ３のコイル、スイッチ１９、バッテリーパック２１とリード線２４，２４・・で電気的接続されるコントローラ２５が収容されると共に、装着部２２の下面で左右方向の中央には、図３，４に示すように、前端が前方へ開放する案内溝２６が前後方向に凹設され、装着部２２の下部両側面には、前端が前方へ開放する左右一対の結合溝２７，２７が前後方向に凹設されている。
【００１２】
また、コントローラ２５の前方上側には、電源用と通信用との３つのメス端子２９を左右方向に並設したコネクタ２８が設けられている。このコネクタ２８は、前側が開口した角筒状で、図３に示すように、左右の外面に形成した円形凹部３０，３０に、左右の半割ハウジングの内面に突設したボス３１，３１が嵌入することで、装着部２２の左右方向の中央部でボス３１を中心に上下方向へ回転可能に支持されている。さらに、コネクタ２８の上面前端には、ボス３１を中心とした円弧状の板体であるシャッタ部３２が上向きに一体形成される一方、下面中央には、コネクタ２８の一部としての押圧片３３が下向きに一体形成されている。
【００１３】
一方、傾斜面部２３におけるコネクタ２８の前方には、四角形状の差込口３４が開口形成されている。コネクタ２８は、シャッタ部３２が差込口３４の上方に退避して開口を差込口３４の真後ろに位置させる上側の接続位置と、シャッタ部３２が差込口３４の真後ろに位置して開口を差込口３４の下方に退避させる非接続位置とに回転可能となっている。但し、ボス３１には、一端が半割ハウジング側に、他端がコネクタ２８にそれぞれ係止する付勢手段としてのトーションスプリング３５が外装されて、コネクタ２８は、集塵装置４０を装着しない状態では、シャッタ部３２が差込口３４を閉塞する非接続位置に回転付勢されている。この非接続位置で、コネクタ２８の押圧片３３は、装着部２２に形成した透孔３６を貫通して案内溝２６内へ突出するようになっている。
【００１４】
集塵装置４０は、図５にも示すように、ハンマードリル１の装着部２２の傾斜面部２３及び底面に当接して嵌合する嵌合凹部４２を備え、左右の半割ケーシングを組み付けてなる側面視逆Ｌ字状のケーシング４１を有している。ケーシング４１の後方には、出力軸４４を前方へ向けたモータ４３が横向きに収容されると共に、その後方にコントローラ４５が設けられている。また、出力軸４４には集塵ファン４６が固着されて、ケーシング４１内に区画形成されて側面に図示しない排気口を備えた吸気室４７内に収容されている。４８は、吸気室４７の前方でケーシング４１に形成されたダストボックス６７の結合部で、前方のみ開口した凹状を呈し、結合部４８の底となる仕切壁４９には、集塵ファン４６の同軸上で結合部４８を吸気室４７と連通させる連通孔５０が形成されている。
【００１５】
一方、結合部４８の上方には、前端が開口し後端がＵ字状にターンして結合部４８の後方へ回り込む案内通路５１が前後方向に形成されており、その案内通路５１の前端に、Ｌ字状のノズル５２が連結されて、吸込口５３を有する先端を上向きに突出させている。このノズル５２及び案内通路５１には、両者に跨ってフレキシブルホース５４が収容されており、フレキシブルホース５４の後端には、案内通路５１の後端形状に沿ってＵ字状に折り返した四角筒状のダクト５５が連結されている。筒体となるダクト５５の先端部５６は、仕切壁４９を貫通して結合部４８内に突出している。
【００１６】
また、結合部４８の後方には、電源用と通信用との３つのオス端子５７が左右方向に所定間隔をおいて並設されている。このオス端子５７は、嵌合凹部４２を形成してハンマードリル１の装着部２２の前面に合わせた湾曲後面５８に差し込み固定されて後方へ突出する板状体で、ケーシング４１には、左右両外のオス端子５７のそれぞれ外側位置でオス端子５７と平行に固定され、先端が後方へ突出する一対の保護リブ５９が設けられている。よって、オス端子５７は、左右の外側が保護リブ５９によって保護されることになる。さらに、湾曲後面５８におけるオス端子５７の上方には、左右方向に且つ湾曲後面５８の形状に合わせた湾曲状に弾性部材としてのゴム６０が嵌着されて、後面を湾曲後面５８よりも後方へ突出させている。
【００１７】
一方、嵌合凹部４２を形成するケーシング４１の後部上面は、ハンマードリル１の装着部２２が載置される平坦な載置面６１となっている。この載置面６１の前方寄りで左右方向の中央には、装着部２２の下面に設けられた案内溝２６に嵌合する押圧部としての押圧レール６２が前後方向に突設されている。この押圧レール６２の後端には、後方へ行くに従って高さが低くなる傾斜面６３が形成されている。
また、載置面６１の左右両側には、装着部２２の下部が嵌合可能な間隔で一対のガイドレール６４，６４が前後方向に立設されて、各ガイドレール６４の上端に、装着部２２の結合溝２７，２７に嵌合可能な凸条６５がそれぞれ内側へ向けて突設されている。
【００１８】
さらに、押圧レール６２の後方延長線上には、弾性部材として、凸状に折曲形成した金属製の押圧板６６の前後両端がケーシング４１に保持されて、上面を載置面６１よりもやや上方へ突出させている。
６７は、結合部４８に結合されるダストボックスで、ボックス本体６８にヒンジ結合される蓋体６９にフィルタユニット７０を備え、結合部４８への装着状態で、ダクト５５の先端部５６が蓋体６９に設けた入口７１を貫通すると共に、出口７２が連通孔５０に対向するものとなる。
【００１９】
以上の如く構成されたハンマードリル１においては、集塵装置４０を装着する際には、ハンマードリル１の装着部２２の下部にケーシング４１のガイドレール６４，６４を合わせて装着部２２が載置面６１上に位置する状態で、装着部２２に対して嵌合凹部４２を前方から嵌合させるように集塵装置４０を後方へスライドさせる。すると、装着部２２の案内溝２６に集塵装置４０の押圧レール６２が、結合溝２７にガイドレール６４の凸条６５がそれぞれ嵌合して後方へスライドする。このとき押圧レール６２は、コネクタ２８の押圧片３３に当接するが、傾斜面６３によって押圧片３３を上方へ押し上げるため、コネクタ２８は図２において左回転する。よって、コネクタ２８は、シャッタ部３２が上方へ退避して開口が差込口３４の真後ろに位置する接続位置へ移動する。
【００２０】
その後、集塵装置４０のオス端子５７が開放した差込口３４からハウジング２内へ進入し、装着部２２が嵌合凹部４２へ嵌合すると同時にメス端子２９に挿通して電気的接続される（図１）。
また、この装着状態では、装着部２２の下面が載置面６１上に載置され、傾斜面部２３を含む装着部２２の前面が湾曲後面５８に当接する。よって、載置面６１から突出する押圧板６６が装着部２２の下面に押し込まれることで装着部２２の下面を上方へ弾性的に押圧する一方、湾曲後面５８から突出するゴム６０が弾性変形して傾斜面部２３を後方へ弾性的に押圧する。よって、集塵装置４０はがたつきなく装着される。
【００２１】
そして、ハンマードリル１のスイッチレバー２０を押し込み操作してスイッチ１９をＯＮさせると、モータ３が駆動して中間軸６を回転させる。このとき、ハウジング２の外部からクラッチ８をスライド操作して、第１ギヤ７のみと係合する前進位置、ボススリーブ９のみと係合する後退位置、第１ギヤ７及びボススリーブ９と同時に係合する中間位置の何れかを選択することで、第２ギヤ１７を介してツールホルダ１１が回転してビット１０を回転させるドリルモード、アーム１３の揺動によってピストンシリンダ１２を往復動させ、連動するストライカ１５によってインパクトボルト１６を介してビット１０を打撃するハンマーモード、ツールホルダ１１の回転とインパクトボルト１６の打撃とを同時に行うハンマードリルモードの選択が可能となる。
【００２２】
一方、スイッチ１９のＯＮによってコントローラ２５は、集塵装置４０のコントローラ４５へ電源を供給する。よって、コントローラ４５は、モータ４３を駆動させて集塵ファン４６を回転させる。これにより、ノズル５２の吸込口５３から外気が吸引され、フレキシブルホース５４及びダクト５５を通って入口７１からダストボックス６７のボックス本体６８内に排出され、フィルタユニット７０を通過して出口７２から連通孔５０を介して吸気室４７に至り、吸気室４７に設けた排気口から外部へ排出される。従って、回転等するビット１０によって被加工材から生じた粉塵は、吸込口５３に吸い込まれてノズル５２及びフレキシブルホース５４、ダクト５５を介してボックス本体６８内に進入し、フィルタユニット７０に捕捉されてボックス本体６８内に貯留することになる。
【００２３】
なお、スイッチレバー２０の押し込みを解除してスイッチ１９をＯＦＦさせると、モータ３が停止してビット１０の回転等が停止する。しかし、コントローラ２５は、集塵装置４０への通電をスイッチ１９のＯＦＦから数秒間遅らせて停止させる遅延機能を備えているため、集塵装置４０ではビット停止後数秒間は集塵ファン４６が回転を続ける。よって、ノズル５２やフレキシブルホース５４等に残留した粉塵もダストボックス６７へ確実に回収することができる。
【００２４】
一方、集塵装置４０の取り外しは、装着時と逆に集塵装置４０をハンマードリル１から前方へスライドさせると、案内溝２６による押圧レール６２の案内及び結合溝２７による凸条６５の案内で集塵装置４０が前方へスライドし、これに従ってオス端子５７がメス端子２９から離間して差込口３４から抜き取られる。その後、前進した押圧レール６２による押圧片３３の押し上げを解かれたコネクタ２８がトーションスプリング３５の付勢によって右回転して非接続位置へ復帰するため、図２，４に示すようにシャッタ部３２が再び差込口３４を閉塞することになる。
【００２５】
このように、上記形態１のハンマードリル１によれば、メス端子２９を備えたコネクタ２８を、メス端子２９が差込口３４の内側に位置する接続位置と、メス端子２９が差込口３４の内側から退避する非接続位置との間で移動可能に設けると共に、コネクタ２８を非接続位置へ付勢するトーションスプリング３５を設け、コネクタ２８に、非接続位置で差込口３４の内側に位置して差込口３４を閉塞し、接続位置で差込口３４の内側から退避するシャッタ部３２を設けて、集塵装置４０に、集塵装置４０の装着に伴ってコネクタ２８に当接し、コネクタ２８をトーションスプリング３５の付勢に抗して接続位置へ移動させる押圧レール６２を設けたことで、オス端子５７の差し込み時には確実にメス端子２９側の差込口３４を開放させることができ、差し込み接続の確実性を確保できる。また、コネクタ２８に直接シャッタ部３２を設けてコネクタ２８自体を回転させるので、部品点数が少なくなって差込口３４の開閉機構が省スペースで形成でき、コンパクト化の障害にならない。
【００２６】
特にここでは、コネクタ２８を、接続位置と非接続位置との間で回転可能に設けているので、接続位置と非接続位置との間のコネクタ２８の移動をより省スペースで行うことができる。
また、ハンマードリル１に対して集塵装置４０をスライド装着させるものとして、ハンマードリル１の外面に、スライド方向と平行な案内溝２６を設けて当該案内溝２６内にコネクタ２８の押圧片３３を突出させ、押圧部を、集塵装置４０の外面に設けられ、集塵装置４０の装着に伴って案内溝２６内をスライドしてコネクタ２８の押圧片３３に当接する押圧レール６２としたことで、集塵装置４０のスライド装着に合わせて無理なくコネクタ２８を移動させることができる。また、案内溝２６と押圧レール６２との嵌合によってハンマードリル１と集塵装置４０とのさらなる一体化も図られる。
【００２７】
さらに、集塵装置４０の装着方向（前後方向）とその交差方向とで集塵装置４０の外面に、ハンマードリル１と集塵装置４０との装着状態で相手側を押圧するゴム６０及び押圧板６６を設けているので、ハンマードリル１と集塵装置４０との間においてゴム６０が前後方向でのがたつきを、押圧板６６が上下方向でののがたつきをそれぞれ抑えることができる。よって、集塵装置４０を装着した際の一体感を高めることができる。
加えて、メス端子２９及び差込口３４がハンマードリル１に、オス端子５７が集塵装置４０にそれぞれ設けられているので、ハンマードリル１に端子による突出部分が生じることがなく、ハンマードリル１を単独で使用する際の邪魔にならない。
そして、オス端子５７に沿って保護リブ５９を設けたことで、オス端子５７の損傷防止効果が得られる。
【００２８】
なお、上記形態１では、シャッタ部をコネクタの上側に設けて、コネクタの上側への回転で接続位置、下側への回転で非接続位置となるようにしているが、シャッタ部をコネクタの下側に設けて、コネクタの上側への回転で非接続位置、下側への回転で接続位置となるようにしてもよい。また、上下への回転に限らず、回転軸を上下方向に設定してコネクタの左右方向への回転によって接続位置と非接続位置とに移動できるようにすることもできる。押圧片の位置や形状もコネクタの回転形態に合わせて適宜変更可能である。
さらに、コネクタを回転させる構造に限らず、上下又は左右方向で接続位置と非接続位置との間をスライド可能に設けてコイルバネや板バネ等の付勢手段で非接続位置へ付勢しても差し支えない。
【００２９】
そして、弾性部材は、上記形態１のゴムと押圧板とに限らず、どちらもゴムとしたり、逆にどちらも押圧板としたりしてもよいし、集塵装置でなくハンマードリル側に設けてもよい。また、これ以外に板バネ等の弾性部材の採用も可能である。さらに、上記形態１では集塵装置の装着方向とその交差方向との双方に弾性部材を設けているが、何れか一方の方向のみとしても差し支えない。
【００３０】
［形態２］
次に、本発明の他の形態を説明する。但し、形態１と同じ構成部には同じ符号を付して重複する説明は省略する。
図６，７に示すハンマードリル１Ａにおいて、メス端子２９を備えるコネクタ２８は、差込口３４の真後ろに開口が位置する前向き姿勢でハウジング２内に固定されて、差込口３４を開閉するシャッタ８０が別体で設けられている。
このシャッタ８０は、前面が傾斜面部２３に合わせた傾斜面となって上方へ行くに従って厚みが小さくなる板状体で、左右の半割ハウジングの内面でそれぞれ上下方向に突設された受け座８１により、差込口３４の閉塞位置と開放位置との間で上下動可能に支持されている。
【００３１】
また、装着部２２の下部でシャッタ８０の後方には、回転部材としての回転リンク８２が設けられている。この回転リンク８２は、中央を左右方向の軸８３によって装着部２２内で回転可能に支持されて、前端で左右方向に設けたピン８４を、シャッタ８０の下部に設けられて後方へ行くに従って下方へ傾斜する傾斜溝８５に遊挿させる一方、他端には扇状のカム部８６を形成している。また、回転リンク８２は、トーションスプリング８７によって図６，７での左回転方向へ回転付勢されて、常態ではカム部８６を、装着部２２の底部に設けた透孔８８を介して案内溝２６内に突出させる一方、ピン８４でシャッタ８０を押し上げて差込口３４の閉塞位置に保持している。
一方、図８に示す集塵装置４０Ａにおいて、載置面６１には、ハンマードリル１Ａの装着部２２の案内溝２６に嵌合する押圧レール８９が前後方向に突設されている。
【００３２】
以上の如く構成されたハンマードリル１Ａにおいては、集塵装置４０Ａを装着する際には、ハンマードリル１の装着部２２下面の案内溝２６に集塵装置４０Ａの押圧レール８９を合わせた状態で、装着部２２に対して嵌合凹部４２を前方から嵌合させるように集塵装置４０Ａを後方へスライドさせる。すると、押圧レール８９が案内溝２６内を後方へスライドし、その途中で回転リンク８２のカム部８６に当接して、カム部８６を押し上げることで回転リンク８２を図７において右回転させる。よって、ピン８４がシャッタ８０を下方の開放位置へ引込み、差込口３４を開放させる。このとき、ピン８４はシャッタ８０の傾斜溝８５内を相対的に前方へ摺動しながらシャッタ８０を引き込むため、傾斜溝８５の傾斜により、同じ回転量でも大きなストロークでシャッタ８０を下方へスライドさせることができる。
その後、集塵装置４０Ａのオス端子５７が開放した差込口３４からハウジング２内へ進入し、装着部２２が嵌合凹部４２へ嵌合すると同時にメス端子２９に挿通して電気的接続される（図６）。
【００３３】
一方、集塵装置４０Ａの取り外しは、装着時と逆に集塵装置４０Ａをハンマードリル１Ａから前方へスライドさせると、案内溝２６による押圧レール８９の案内で集塵装置４０Ａが前方へスライドし、これに従ってオス端子５７がメス端子２９から離間して差込口３４から抜き取られる。その後、前進した押圧レール８９によるカム部８６の押し上げを解かれた回転リンク８２がトーションスプリング８７の付勢によって左回転するため、ピン８４を介してシャッタ８０を上方へ押し上げる。よって、シャッタ８０が閉塞位置へ復帰して差込口３４を閉塞することになる。
【００３４】
このように、上記形態２のハンマードリル１Ａによれば、メス端子２９が設けられるハンマードリル１Ａに、差込口３４の開放位置と閉塞位置との間でスライド可能なシャッタ８０と、そのシャッタ８０に一端が係合して回転可能な回転リンク８２と、その回転リンク８２をシャッタ８０が閉塞位置へスライドする回転方向へ付勢するトーションスプリング８７とを設けて、オス端子５７が設けられる集塵装置４０Ａに、集塵装置４０Ａの装着に伴って回転リンク８２のカム部８６に当接し、回転リンク８２をトーションスプリング８７の付勢に抗してシャッタ８０が開放位置へスライドする回転方向へ回転させる押圧レール８９を設けたことで、オス端子５７の差し込み時には確実にメス端子２９側の差込口３４を開放させることができ、差し込み接続の確実性を確保できる。また、回転リンク８２によってシャッタ８０をスライドさせるので、差込口３４の開閉機構が省スペースで形成でき、コンパクト化の障害にならない。
【００３５】
特にここでは、ハンマードリル１Ａの外面に、集塵装置４０Ａのスライド方向と平行な案内溝２６を設けて案内溝２６内に回転リンク８２のカム部８６を突出させ、押圧部を、集塵装置４０Ａの外面に設けられ、集塵装置４０Ａの装着に伴って案内溝２６内をスライドし、回転リンク８２のカム部８６に当接する押圧レール８９としたことで、集塵装置４０Ａのスライド装着に合わせて無理なく回転リンク８２を回転させることができる。また、案内溝２６と押圧レール８９との嵌合によってハンマードリル１Ａと集塵装置４０Ａとのさらなる一体化も図られる。
【００３６】
なお、上記形態２では、回転リンクを左右方向の軸を中心に回転可能としているが、前後方向の軸を中心に回転可能に設けて一端をシャッタに結合し、他端のカム部の前面及び／又はレールの後面に設けたテーパ面によってレールの進入に伴う回転リンクの回転でシャッタを下方へ引き込むようにしてもよい。すなわち、回転部材の回転方向や押圧部との当接形態は適宜変更可能である。
また、シャッタ及び回転部材をメス端子の上側や側方に設けてシャッタを上方や側方へスライドさせて差込口を開放させるようにしたりすることも可能である。
さらに、上記形態２においても形態１と同様に、ハンマードリル１Ａと集塵装置４０Ａとの結合に結合溝２７とガイドレール６４とを採用したり、両者間にゴム６０や押圧板６６等の弾性部材を介在させたりしても差し支えない。
【００３７】
そして、上記形態１，２に共通して、オス端子及びメス端子はそれぞれ正負一対のみであってもよい。特にオス端子において、保護リブの形状変更が可能であるのは勿論、例えば保護リブを集塵装置のケーシングから出没可能に設けて、常態ではコイルバネ等の付勢手段によってケーシングから突出してオス端子を保護する突出位置に付勢して、電動工具への装着の際には、保護リブが電動工具のハウジング側に当接して後退するような設計変更も考えられる。
【００３８】
また、オス端子とメス端子との配置は上記と逆にして、オス端子を電動工具に、メス端子をアタッチメントにそれぞれ設けたりすることも可能である。
さらに、アタッチメントとしては集塵装置に限らず、例えばＬＥＤ等を備えた照明ユニット等でも差し支えない。勿論電動工具も、ハンマードリルに限らず、電動ドリルや電動ハンマ等の他の種類であっても本発明の適用は可能である。
【符号の説明】
【００３９】
１，１Ａ・・ハンマードリル、２・・ハウジング、３，４３・・モータ、４，４４・・出力軸、６・・中間軸、１０・・ビット、１１・・ツールホルダ、２１・・バッテリーパック、２２・・装着部、２５，４５・・コントローラ、２６・・案内溝、２７・・結合溝、２８・・コネクタ、２９・・メス端子、３２・・シャッタ部、３４・・差込口、３５，８７・・トーションスプリング、４０，４０Ａ・・集塵装置、４１・・ケーシング、４２・・嵌合凹部、４６・・集塵ファン、４８・・結合部、５０・・連通孔、５２・・ノズル、５３・・吸込口、５５・・ダクト、５６・・先端部、５７・・オス端子、６０・・ゴム、６１・・載置面、６２，８９・・押圧レール、６３・・傾斜面、６４・・ガイドレール、６５・・凸条、６７・・ダストボックス、６８・・ボックス本体、６９・・蓋体、７０・・フィルタユニット、８０・・シャッタ、８２・・回転リンク、８６・・カム部。
【図１】
0005615725.tif 000002
【図２】
0005615725.tif 000003
【図３】
0005615725.tif 000004
【図４】
0005615725.tif 000005
【図５】
0005615725.tif 000006
【図６】
0005615725.tif 000007
【図７】
0005615725.tif 000008
【図８】
0005615725.tif 000009